(57)【要約】【課題】防水部材の位置ずれを規制して、端子金具の装着作業を容易に行うことのできる防水コネクタを提供すること。【解決手段】防水コネクタ１には、雄側の端子金具２と、端子金具２を収容可能な端子収容室９を設けたハウジング３と、ハウジング３に装着されて電線Ｗの周囲に弾性的に密着する電線装着孔１４を設けた防水部材４と、ハウジング３に組み付いて防水部材４を抜止保持するホルダ５とが設けられている。ホルダ５の前面側には、位置ずれ規制突部１６が設けられており、これが防水部材４の位置決め孔１５に嵌まり込むことで、防水部材４の位置ずれを規制する。また、ホルダ５がハウジング３に対して、本係止位置に組み付けられると、位置ずれ規制突部１６の先端１６Ａが、端子金具２に係合することで抜け止めを行う。【選択図】        図３
2004172033.tif 000002
【特許請求の範囲】
【請求項１】
電線に接続された端子金具と、この端子金具を収容可能な端子収容室を設けたハウジングと、このハウジングに装着されて前記端子金具を挿通させて前記電線の周囲に弾性的に密着する電線装着孔を設けた防水部材と、前記電線装着孔に整合する位置に前記電線を挿通可能な電線挿通孔を設けると共に、前記ハウジングに対してより浅く組み付いて前記端子金具の前記電線装着孔への挿通を許容する仮係止位置と前記ハウジングに対してより深く組み付いて前記防水部材を前記ハウジングとの間に挟み付けて抜止保持する本係止位置との二つの位置で係止可能なホルダとを備えた防水コネクタであって、
前記ホルダには、前記仮係止位置において前記防水部材に設けられた位置決め孔に嵌まり込んで前記防水部材の位置ずれを規制すると共に、前記本係止位置において前記端子収容室に入り込んで前記端子金具を抜け止めする位置ずれ規制突部が設けられていることを特徴とする防水コネクタ。
【請求項２】
前記端子収容室において、前記端子金具が装着される側の開口縁には、前記ホルダが前記仮係止位置から前記本係止位置に移動する際に、前記位置ずれ規制突部の先端を前記端子金具側に案内する案内面が設けられていることを特徴とする請求項１に記載の防水コネクタ。
【発明の詳細な説明】
【０００１】
【発明の属する技術分野】
本発明は、防水コネクタに関するものである。
【０００２】
【従来の技術】
図１１には、特開平７−３２０８１１号に開示された防水コネクタを示した。この防水コネクタのハウジング１００における後面側（図１１に示す面側）には、電線Ｗの周囲に密着することで防水性を確保する防水部材１０１が設けられている。ハウジング１００には、端子金具１０３を装着する端子収容室１０４が設けられている。また、ハウジング１００の後方からは、防水部材１０１の抜け止めを行うホルダ１０５が組み付けられる。この防水コネクタを組み付けるには、ハウジング１００の後部に防水部材１０１とホルダ１０５とを装着しておき、各電線挿通孔１０２に対して、順々に端子金具１０３を挿入していく。
【特許文献１】特開平７−３２０８１１号公報
【０００３】
【発明が解決しようとする課題】
ところが、端子金具１０３を端子収容室１０４に組み付けていくうちに、防水部材１０１が電線Ｗによって弾性変形を起こしてしまい、残りの電線挿通孔１０２の位置が、端子収容室１０４から外れてしまうという事態が発生してしまう。そうすると、端子金具１０３の装着作業が徐々に困難になってくるという問題点があった。
本発明は、上記した事情に鑑みてなされたものであり、その目的は、防水部材の位置ずれを規制して、端子金具の装着作業を容易に行うことのできる防水コネクタを提供することにある。
【０００４】
【課題を解決するための手段、発明の作用、及び発明の効果】
上記の課題を解決するために第１の発明は、電線に接続された端子金具と、この端子金具を収容可能な端子収容室を設けたハウジングと、このハウジングに装着されて前記端子金具を挿通させて前記電線の周囲に弾性的に密着する電線装着孔を設けた防水部材と、前記電線装着孔に整合する位置に前記電線を挿通可能な電線挿通孔を設けると共に、前記ハウジングに対してより浅く組み付いて前記端子金具の前記電線装着孔への挿通を許容する仮係止位置と前記ハウジングに対してより深く組み付いて前記防水部材を前記ハウジングとの間に挟み付けて抜止保持する本係止位置との二つの位置で係止可能なホルダとを備えた防水コネクタであって、前記ホルダには、前記仮係止位置において前記防水部材に設けられた位置決め孔に嵌まり込んで前記防水部材の位置ずれを規制すると共に、前記本係止位置において前記端子収容室に入り込んで前記端子金具を抜け止めする位置ずれ規制突部が設けられていることを特徴とする。
【０００５】
端子金具については、雌雄は問われず、雄側端子金具または雌側端子金具のいずれでもよい。
位置ずれ規制突部は、少なくとも一つ設けることにより、防水部材の位置ずれ規制を行うことが可能である。但し、端子金具の数に合わせて、一対一に設けることが好ましい。そのようにすれば、端子金具の抜け止め効果を、より向上させることができる。
【０００６】
第１の発明によれば、ハウジングに防水部材を装着し、ホルダを仮係止位置としておく。次に、電線に接続された端子金具をホルダの電線挿通孔と防水部材の電線装着孔とを挿通させながら、端子収容室に収容する。ここで、端子金具を装着していくと、電線が防水部材を弾性変形させようとするため、防水部材の電線挿通孔の位置が端子収容室の位置から外れるような作用が加わってくる。ところが、仮係止位置では、ホルダの位置ずれ規制突部が、防水部材の位置決め孔に嵌まり込んでいるので、防水部材の位置ずれが規制される。このため、円滑な端子金具の組付操作を行える。
【０００７】
また、所定数の端子金具の装着作業を終了した後には、ホルダを仮係止位置から本係止位置に移動させることで、防水コネクタの組付操作を完了する。このとき、位置ずれ規制突部は、端子収容室に入り込んで端子金具の抜け止めを行う。このように、位置ずれ規制突部は、仮係止位置においては防水部材の位置ずれ規制効果、本係止位置においては端子金具の抜け止め効果という二重の効果を奏する。
【０００８】
第２の発明は、第１の発明において、前記端子収容室において、前記端子金具が装着される側の開口縁には、前記ホルダが前記仮係止位置から前記本係止位置に移動する際に、前記位置ずれ規制突部の先端を前記端子金具側に案内する案内面が設けられていることを特徴とする。
第２の発明によれば、ホルダを仮係止位置から本係止位置に移動させるときには、端子収容室に設けられた案内面が、位置ずれ規制突部の先端を端子金具の方向に案内するので、円滑な組付が行われる。
【０００９】
【発明の実施の形態】
次に、本発明の実施形態について、図面を参照しつつ説明するが、本発明の技術的範囲は、これらの実施形態によって限定されるものではなく、発明の要旨を変更することなく様々な形態で実施することができる。また、本発明の技術的範囲は、均等の範囲にまで及ぶものである。
図１には、本実施形態の防水コネクタ１の分解側面図を示した。なお、以下の説明において、防水コネクタ１が図示しない相手側コネクタと嵌合する側（図１において、右側）を前側とする。
【００１０】
この防水コネクタ１には、電線Ｗの一端部に接続された雄側の端子金具２と、この端子金具２を収容可能なハウジング３と、このハウジング３の後端側に組み付けられる防水部材４と、この防水部材４の後方からハウジング３に組み付けられることで防水部材４を抜止保持するホルダ５とが設けられている。
端子金具２は、導電性板材をプレス加工することにより製造されたものであり、その先端側（図示右端側）には、相手側の雌側端子金具（図示せず）に接続するタブ部６が突設されている（なお、本実施形態では、本発明の端子金具が雄側であり相手側は雌側端子金具であるが、本発明によれば、端子金具が雌側であり相手側が雄側端子金具であってもよい。）。このタブ部６の後方には、略角筒状の中間部７が設けられている。また中間部７の後方には、電線Ｗをかしめ付けるバレル部８が設けられている。
【００１１】
ハウジング３は、例えば合成樹脂により一体に形成されており、その内部には、端子金具２を装着可能な端子収容室９が設けられている（図３、図５等を併せて参照）。端子収容室９は、左右方向に複数列に、かつ上下方向に二段に渡って所定の位置に設けられている。端子収容室９の先端上壁からは、端子金具２に対して、弾性的に係合するランス１０が突設されている。端子収容室９の後方は、前方よりも大きな内径を備えて開放されており、その端子収容室９の下壁中央には、後方から前方に向かう案内面１７が設けられている。この案内面１７は、後述するホルダ５の位置ずれ規制突部１６の先端１６Ａを端子金具２の方向に案内する。
【００１２】
また、端子収容室９の前方には、端子金具２のタブ部６の周囲を取り囲むフード部１１が設けられている。また、端子収容室９の後方には、防水部材４及びホルダ５を収容可能な部材収容部１２が凹設されている。また、ハウジング３の左右外壁における後端側には、それぞれ図示三つの係止突起１８，１９が設けられている。このうち、前方側に位置する本係止突起１９は、上下一対に設けられている。また。後方側に位置する仮係止突起１８は、両本係止突起１９のほぼ中央に一つのみが設けられている。両係止突起１８，１９には、ホルダ５の弾性係止片２０が係止することで、ハウジング３とホルダ５とを係止する（詳細については、後述する。）。
【００１３】
防水部材４は、例えば合成ゴム等の弾性を備えた材料から形成されており、ハウジング３の部材収容部１２に収容されて、ハウジング３の後面側及び電線Ｗの周囲を防水する。防水部材４は、部材収容部１２よりも僅かに大きい外形を備えており、その外周には、部材収容部１２の内壁に弾性的に密着する防水突条１３が全周に沿って設けられている。また、防水部材４には、端子収容室９に整合する位置に、電線装着孔１４が前後方向に貫通して設けられている。この電線装着孔１４の内径は、電線Ｗの外形よりも僅かに小さく形成されていると共に、その内壁は断面が凹凸状とされており、電線Ｗの外面に対して弾性的に密着するようになっている。また、防水部材４には、電線装着孔１４に隣接する所定の位置に位置決め孔１５が前後方向に貫通して設けられている。この位置決め孔１５には、後述するホルダ５の位置ずれ規制突部１６が嵌まり込むことで、防水部材４の位置決めがなされる。
【００１４】
ホルダ５は、ハウジング３の部材収容部１２に収容可能に形成されている。ホルダ５には、端子収容室９及び電線装着孔１４の位置に整合させて、電線挿通孔２２が前後方向に貫通して形成されている。この電線挿通孔２２は、端子金具２及び電線Ｗの外径よりも大きな内径を備えている。また、電線挿通孔２２に隣接する位置には、前方に向かって位置ずれ規制突部１６が突設されている。この位置ずれ規制突部１６は、防水部材４の位置決め孔１５の位置に整合して設けられている。また、位置ずれ規制突部１６は、ハウジング３の各端子収容室９の位置に整合して、一対一に設けられている。各位置ずれ規制突部１６は、僅かに弾性変形が可能とされている。
【００１５】
また、ホルダ５の左右両側部には、一対の弾性係止片２０が設けられている。各弾性係止片２０は、僅かに拡開方向に弾性変形が可能とされており、ハウジング３の係止突起１８，１９に係止可能とされている。弾性係止片２０の中央には、係止溝部２１が開放されており、ここに係止突起１８，１９が嵌まり込む。また、係止溝部２１の前端側は、更に小さな仮係止溝部２１Ａが連接されている。仮係止溝部２１Ａに仮係止突起１８が嵌まり込むと、図５に示すように、ハウジング３とホルダ５とは、より浅く組み付いて仮係止位置に係合する。この仮係止位置では、位置ずれ規制突部１６は、端子収容室９に挿入されるものの、その先端１６Ａは案内面１７よりも後方の位置にある（図６を参照）。また、係止溝部２１に両本係止突起１９が嵌まり込むと、図８に示すように、ハウジング３とホルダ５とは、より深く組み付いて本係止位置に係合する。この本係止位置では、位置ずれ規制突部１６は、端子収容室９の奥側に挿入される。
【００１６】
次に、上記のように構成された本実施形態の作用及び効果について説明する。防水コネクタ１を組み付けるには、まずハウジング３の後面に開放された部材収容部１２に防水部材４を装着しておき、ホルダ５をハウジング３に組み付ける。このとき、ホルダ５の位置ずれ規制突部１６を防水部材４の位置決め孔１５に嵌め込んで貫通させると共に、その先端を端子収容室９に挿入する。また、弾性係止片２０の仮係止溝部２１Ａに仮係止突起１８を位置させることで、ハウジング３とホルダ５とを仮係止位置とする。
【００１７】
次に、電線Ｗの一端に接続された端子金具２をホルダ５の電線挿通孔２２と防水部材４の電線装着孔１４とを挿通させながら、ハウジング３の端子収容室９に収容する。端子金具２を所定の位置まで押し込むと、ランス１０が中間部７に開放された係止孔７Ａに対して、弾性的に係合することで、端子金具２が端子収容室９に一次係止される（図６等を参照）。ここで、端子金具２を端子収容室９に装着していくと、電線Ｗが防水部材４の電線装着孔１４の孔縁を押圧するため、防水部材４を弾性変形させようとする。このため、残りの電線挿通孔１４の位置が、端子収容室９の位置から外れるような作用が加わってくる。ところが、本実施形態によれば、仮係止位置では、ホルダ５の位置ずれ規制突部１６が、防水部材４の位置決め孔１５に嵌まり込んでいるので、そのような作用が加わった場合にも、防水部材４の位置ずれが規制される。このため、円滑な端子金具２の組付操作を行える。
【００１８】
所定数の端子金具２の装着作業を終了した後には、ホルダ５をハウジング３に対して押圧することで、仮係止位置から本係止位置に移動させる（図９等を参照）。こうして、防水コネクタ１の組付操作を完了する。
ホルダ５が仮係止位置から本係止位置に移動するときに、位置ずれ規制突部１６は、端子収容室９に設けられた案内面１７の案内によって、円滑に進行方向を導かれる。このため、先端１６Ａは、所定の位置（端子金具２の中間部７の後端）に至ることで、図９に示すように、端子金具２の抜け止めを行う（二次係止）。このように、本実施形態では、位置ずれ規制突部１６は、仮係止位置においては、防水部材４の位置ずれを規制すると共に、本係止位置においては、端子金具２の抜け止めを行うようになっている。このため、二つの効果を奏する部位を別々に設ける必要がないので、簡易な構成とすることができる。
【図面の簡単な説明】
【図１】本実施形態における防水コネクタの分解側面図である。
【図２】防水コネクタの分解平面図である。
【図３】防水コネクタの分解側断面図である。
【図４】ハウジングとホルダとを仮係止位置に組み付けたときの平面図（一部、破断図）である。
【図５】ハウジングとホルダとを仮係止位置に組み付けたときの側面図である。
【図６】ハウジングとホルダとを仮係止位置に組み付けておき、端子金具を装着しているときの様子を示す側断面図である。
【図７】ハウジングとホルダとを本係止位置に組み付けたときの平面図（一部、破断図）である。
【図８】ハウジングとホルダとを本係止位置に組み付けたときの側面図である。
【図９】防水コネクタの組付を完了したときの側断面図である。
【図１０】端子金具と位置ずれ規制突部との係合部分を示す部分拡大断面図である。
【図１１】従来例における防水コネクタの分解斜視図である。
【符号の説明】
１…防水コネクタ
２…端子金具
３…ハウジング
４…防水部材
５…ホルダ
９…端子収容室
１４…電線装着孔
１５…位置決め孔
１６…位置ずれ規制突部
１７…案内面
２２…電線挿通孔
Ｗ…電線
【図１】
2004172033.tif 000003
【図２】
2004172033.tif 000004
【図３】
2004172033.tif 000005
【図４】
2004172033.tif 000006
【図５】
2004172033.tif 000007
【図６】
2004172033.tif 000008
【図７】
2004172033.tif 000009
【図８】
2004172033.tif 000010
【図９】
2004172033.tif 000011
【図１０】
2004172033.tif 000012
【図１１】
2004172033.tif 000013